(57)【要約】【課題】まつげの切れを抑えることができるまつげカーラーを提供する。【解決手段】本発明のまつげカーラーは、円弧状に湾曲した帯状のまつげ挟持プレート１１３と、これに対向して配設されたまつげ挟持用弾性体１２５と、このまつげ挟持用弾性体を保持する弾性体保持体１２４と、を備え、弾性体保持体（通常、金属製である。）の断面形状は略Ｕ字形状であり、開口側がまつげ挟持プレート（通常、金属製である。）に対向しているとともに、まつげ挟持用弾性体（シリコーンゴム等からなる。）が弾性体保持体の内側空間に保持されており、弾性体保持体のうちの略Ｕ字形状の縁部に相当する端縁部に、樹脂被覆層２（所定硬度の樹脂からなる。）が設けられていることを特徴とする。【選択図】図７
2008188247.tif 000002
【特許請求の範囲】
【請求項１】
円弧状に湾曲した帯状のまつげ挟持プレートと、
該まつげ挟持プレートに対向して配設されたまつげ挟持用弾性体と、
該まつげ挟持用弾性体を保持する弾性体保持体と、を備えるまつげカーラーであって、
上記弾性体保持体の断面形状は略Ｕ字形状であり、開口側が上記まつげ挟持プレートに対向しているとともに、
上記まつげ挟持用弾性体が該弾性体保持体の内側空間に保持されており、
該弾性体保持体のうちの該略Ｕ字形状の縁部に相当する端縁部に、樹脂被覆層が設けられていることを特徴とするまつげカーラー。
【請求項２】
上記樹脂被覆層が、上記弾性体保持体の一方の側壁の内側面から外側面及び外底面並びに他方の側壁の外側面から内側面に渡って設けられている請求項１に記載のまつげカーラー。
【請求項３】
上記樹脂被覆層が、上記弾性体保持体の、一方の側壁の上記端縁部、内側面及び外側面、並びに他方の側壁の上記端縁部、内側面及び外側面に設けられている請求項１に記載のまつげカーラー。
【請求項４】
上記樹脂被覆層を構成する樹脂のデュロメータＤ硬さが４５以上、又はロックウェルＲ硬さが７０以上である請求項１乃至３のうちのいずれか１項に記載のまつげカーラー。
【請求項５】
円弧状に湾曲した帯状のまつげ挟持プレートと、
該まつげ挟持プレートに対向して配設されたまつげ挟持用弾性体と、
該まつげ挟持用弾性体を保持する弾性体保持体と、を備えるまつげカーラーであって、
上記弾性体保持体の断面形状は略Ｕ字形状であり、開口側が上記まつげ挟持プレートに対向しているとともに、
上記まつげ挟持用弾性体が該弾性体保持体の内側空間に保持されており、
該弾性体保持体のうちの該略Ｕ字形状の縁部に相当する端縁部には、樹脂により被覆されてなる複数の樹脂被覆部が、該弾性体保持体の幅方向に所定間隔をおいて設けられていることを特徴とするまつげカーラー。
【請求項６】
上記樹脂被覆部の上記弾性体保持体の幅方向における寸法が０．１〜１．０ｍｍである請求項５に記載のまつげカーラー。
【請求項７】
上記樹脂被覆部のうちの隣り合う樹脂被覆部の間の間隔が０．１〜１．０ｍｍである請求項５又は６に記載のまつげカーラー。
【請求項８】
上記樹脂被覆部が上記弾性体保持体の幅方向に等間隔に設けられている請求項５乃至７のうちのいずれか１項に記載のまつげカーラー。
【請求項９】
上記樹脂被覆部が上記弾性体保持体の幅方向の両端部を除く部分の全幅に渡って設けられている請求項５乃至８のうちのいずれか１項に記載のまつげカーラー。
【請求項１０】
上記樹脂被覆部の厚さが０．３〜０．８ｍｍである請求項５乃至９のうちのいずれか１項に記載のまつげカーラー。
【請求項１１】
上記樹脂被覆部の上記弾性体保持体の幅方向における両角部が円弧状に形成されている請求項５乃至１０のうちのいずれか１項に記載のまつげカーラー。
【請求項１２】
上記樹脂被覆部を構成する樹脂のデュロメータＤ硬さが４５以上、又はロックウェルＲ硬さが７０以上である請求項５乃至１１のうちのいずれか１項に記載のまつげカーラー。
【発明の詳細な説明】
【技術分野】
【０００１】
本発明は、まつげをカールさせるためのまつげカーラーに関する。更に詳しくは、まつげが、まつげ挟持プレートとまつげ挟持用弾性体との間ではなく、まつげ挟持プレートと弾性体保持体との間に挟まれてしまった場合に、まつげが切れてしまうことを抑えることができるまつげカーラーに関する。
【背景技術】
【０００２】
まつげを対向する一組の挟持部材によって挟持し、カールさせるまつげカーラーは知られている。例えば、薄板状のヘラと、少なくともこのヘラと向き合う側の面が弾性材料から構成された受け台と、このヘラ及び受け台を保持するとともに、開閉操作によって、ヘラと受け台とを近接、離間させることができるように構成されたカーラー本体部とを具備してなるまつげカーラーであって、少なくともヘラが、ステンレスから構成されているまつげカーラーが知られている（例えば、特許文献１参照。）。
【０００３】
まつげカーラーでは、まつげは、まつげを挟持する部材のうちの一方の部材であって、瞼に当接され、瞼を上方に押し上げるための金属部材と、他方の部材であって、金属部材に保持された弾性体との間に挟持され、カールされる。しかし、一方の部材の幅方向における曲がり具合を、使用者が各々の好みに合わせて適宜調整することがある。この場合、特許文献１に記載されたまつげカーラー等の従来のまつげカーラーでは、まつげが、まつげを挟持する一方の金属部材と、他方の部材のうちの弾性体を保持する金属部材との間で挟持されてしまい、まつげが切れてしまうことがあった。
【０００４】
このまつげの切れを防止するため改良されたまつげカーラーが提案されている。例えば、まつげを圧締する圧締ゴムが装着された昇降金具の外側上縁を、圧締ゴムの外側縁部により被覆したまつげカーラーが知られている（例えば、特許文献２参照）。そして、このまつげカーラーでは、昇降金具に装着された圧締ゴムによってまつげを強く圧締しても、昇降金具の外側上縁部は圧締ゴムの外側縁部により被覆されているため、圧締されるまつげが昇降金具の外側上縁部に接触することがなく、まつげの切れが防止されると説明されている。
【０００５】
【特許文献１】特開２００４−２３６７３５号公報
【特許文献２】実開昭５６−４５０３号公報
【発明の開示】
【発明が解決しようとする課題】
【０００６】
しかし、特許文献２に記載されたまつげカーラーでは、まつげを挟持する部材のうちの一方の部材の幅方向における曲がり具合を、使用者が各々の好みに合わせて適宜調整することは想定されていない。従って、それによりまつげが金属部材間に挟持され、切れることがあること（図１５〜１８、特に図１８参照）、及びそれを防止することについても記載はない。
本発明は上記の従来の状況に鑑みてなされたものであり、まつげ挟持プレートの曲がり具合が調整され、このまつげ挟持プレートが、まつげ挟持用弾性体ではなく弾性体保持体と対向し、まつげが、まつげ挟持プレートと弾性体保持体との間に挟持されてしまうような位置となったときでも、まつげの切れを抑えることができるまつげカーラーを提供することを課題とする。
【課題を解決するための手段】
【０００７】
本発明は以下のとおりである。
１．円弧状に湾曲した帯状のまつげ挟持プレートと、該まつげ挟持プレートに対向して配設されたまつげ挟持用弾性体と、該まつげ挟持用弾性体を保持する弾性体保持体と、を備えるまつげカーラーであって、
上記弾性体保持体の断面形状は略Ｕ字形状であり、開口側が上記まつげ挟持プレートに対向しているとともに、上記まつげ挟持用弾性体が該弾性体保持体の内側空間に保持されており、該弾性体保持体のうちの該略Ｕ字形状の縁部に相当する端縁部に、樹脂被覆層が設けられていることを特徴とするまつげカーラー。
２．上記樹脂被覆層が、上記弾性体保持体の一方の側壁の内側面から外側面及び外底面並びに他方の側壁の外側面から内側面に渡って設けられている上記１．に記載のまつげカーラー。
３．上記樹脂被覆層が、上記弾性体保持体の、一方の側壁の上記端縁部、内側面及び外側面、並びに他方の側壁の上記端縁部、内側面及び外側面に設けられている上記１．に記載のまつげカーラー。
４．上記樹脂被覆層を構成する樹脂のデュロメータＤ硬さが４５以上、又はロックウェルＲ硬さが７０以上である上記１．乃至３．のうちのいずれか１項に記載のまつげカーラー。
５．円弧状に湾曲した帯状のまつげ挟持プレートと、該まつげ挟持プレートに対向して配設されたまつげ挟持用弾性体と、該まつげ挟持用弾性体を保持する弾性体保持体と、を備えるまつげカーラーであって、
上記弾性体保持体の断面形状は略Ｕ字形状であり、開口側が上記まつげ挟持プレートに対向しているとともに、上記まつげ挟持用弾性体が該弾性体保持体の内側空間に保持されており、該弾性体保持体のうちの該略Ｕ字形状の縁部に相当する端縁部には、樹脂により被覆されてなる複数の樹脂被覆部が、該弾性体保持体の幅方向に所定間隔をおいて設けられていることを特徴とするまつげカーラー。
６．上記樹脂被覆部の上記弾性体保持体の幅方向におる寸法が０．１〜１．０ｍｍである上記５．に記載のまつげカーラー。
７．上記樹脂被覆部のうちの隣り合う樹脂被覆部の間の間隔が０．１〜１．０ｍｍである上記５．又は６．に記載のまつげカーラー。
８．上記樹脂被覆部が上記弾性体保持体の幅方向に等間隔に設けられている上記５．乃至７．のうちのいずれか１項に記載のまつげカーラー。
９．上記樹脂被覆部が上記弾性体保持体の幅方向の両端部を除く部分に設けられている上記５．乃至８．のうちのいずれか１項に記載のまつげカーラー。
１０．上記樹脂被覆部の厚さが０．３〜０．８ｍｍである上記５．乃至９．のうちのいずれか１項に記載のまつげカーラー。
１１．上記樹脂被覆部の上記弾性体保持体の幅方向における両角部が円弧状に形成されている上記５．乃至１０．のうちのいずれか１項に記載のまつげカーラー。
１２．上記樹脂被覆層を構成する樹脂のデュロメータＤ硬さが４５以上、又はロックウェルＲ硬さが７０以上である上記５．乃至１１．のうちのいずれか１項に記載のまつげカーラー。
【発明の効果】
【０００８】
<請求項１の発明>
本発明のまつげカーラーによれば、まつげ挟持用弾性体が弾性体保持体の内側空間に保持され、この弾性体保持体のうちの略Ｕ字形状の縁部に相当する端縁部に、樹脂被覆層が設けられているため、まつげ挟持プレートが、まつげ挟持用弾性体ではなく弾性体保持体と対向してしまうようなときでも、まつげは、まつげ挟持プレートと樹脂被覆層との間に挟持されることになり、まつげの切れを抑えることができる。
<請求項２、３の発明>
樹脂被覆層が、弾性体保持体の一方の側壁の内側面から外側面及び外底面並びに他方の側壁の外側面から内側面に渡って設けられている、又は樹脂被覆層が、弾性体保持体の、一方の側壁の端縁部、内側面及び外側面、並びに他方の側壁の端縁部、内側面及び外側面に設けられている場合は、まつげ挟持プレートが、まつげ挟持用弾性体ではなく弾性体保持体と対向してしまうようなときでも、まつげをより確実にまつげ挟持プレートと樹脂被覆層との間で挟持することができ、まつげの切れをより抑えることができる。
【０００９】
<請求項６の発明>
他の本発明のまつげカーラーによれば、まつげ挟持用弾性体が弾性体保持体の内側空間に保持され、この弾性体保持体のうちの略Ｕ字形状の縁部に相当する端縁部に、樹脂により被覆されてなる複数の樹脂被覆部が所定間隔をおいて設けられているため、まつげ挟持プレートが、まつげ挟持用弾性体ではなく弾性体保持体と対向してしまうようなときでも、まつげを、幅方向に間欠的に設けられた樹脂被覆部の左右に逃がすようにすることができ、まつげの切れを抑えることができる。
<請求項７の発明>
樹脂被覆部の弾性体保持体の幅方向における寸法が０．１〜１．０ｍｍである場合は、まつげを樹脂被覆部の左右に確実に逃がすようにすることができ、まつげの切れをより抑えることができる。
<請求項８の発明>
樹脂被覆部のうちの隣り合う樹脂被覆部の間の間隔が０．１〜１．０ｍｍである場合も、まつげを樹脂被覆部の左右に確実に逃がすようにすることができ、まつげの切れをより抑えることができる。
<請求項９の発明>
樹脂被覆部が弾性体保持体の幅方向に等間隔に設けられている場合は、まつげの切れを、樹脂被覆部が設けられている部分の全体に渡ってより確実に抑えることができる。
<請求項１０の発明>
樹脂被覆部が弾性体保持体の幅方向の両端部を除く部分に設けられている場合は、まつげの切れを、弾性体保持体の幅方向の全体に渡ってより確実に抑えることができる。
<請求項１１の発明>
樹脂被覆部の厚さが０．３〜０．８ｍｍである場合は、十分な強度を有し、まつげ挟持プレートが圧接されても損傷することがない。従って、まつげが、まつげ挟持プレートと弾性体保持体との間に挟持されることがなく、まつげの切れをより確実に抑えることができる。
<請求項１２の発明>
樹脂被覆部の弾性体保持体の幅方向における両角部が円弧状に形成されている場合は、まつげを樹脂被覆部の左右に容易に逃がすようにすることができ、まつげの切れをより確実に抑えることができる。
【００１０】
<請求項４、１３の発明>
樹脂被覆層及び樹脂被覆部の各々を構成する樹脂のデュロメータＤ硬さが各々４５以上、又はロックウェルＲ硬さが各々７０以上である場合は、樹脂被覆層及び樹脂被覆部がそれぞれ十分な強度を有し、まつげ挟持プレートが圧接されても損傷することがなく、まつげが、まつげ挟持プレートと弾性体保持体との間に挟持されることがない。従って、まつげの切れをより確実に抑えることができる。
【発明を実施するための最良の形態】
【００１１】
以下、図１〜１８を参照しつつ、本発明の実施形態を説明する。
［１］弾性体保持体のうちの略Ｕ字形状の縁部に相当する端縁部に、樹脂被覆層が設けられているまつげカーラー
本発明の第１の実施形態に係るまつげカーラー１００は、円弧状に湾曲した帯状のまつげ挟持プレートと、まつげ挟持プレートに対向して配設されたまつげ挟持用弾性体と、まつげ挟持用弾性体を保持する弾性体保持体と、を備え、弾性体保持体の断面形状は略Ｕ字形状であり、開口側がまつげ挟持プレートに対向しているとともに、まつげ挟持用弾性体が弾性体保持体の内側空間に保持されており、弾性体保持体のうちの略Ｕ字形状の縁部に相当する端縁部に、樹脂被覆層が設けられていることを特徴とする。
【００１２】
このまつげカーラーにおいて、まつげ挟持プレート１１３とまつげ挟持用弾性体１２５とを当接させ、離間させるための構造は特に限定されない。はさみタイプ等の従来品が有する構造のいずれであってもよいが、市販されているまつげカーラーは、はさみタイプが多い。
即ち、まつげカーラー１００は、対向して設けられたまつげ挟持プレート１１３及びまつげ挟持用弾性体１２５と、先端部にまつげ挟持プレート１１３が固定され、且つまつげ挟持用弾性体１２５を上下動可能に案内支持する支持ロッド１１２と、まつげ挟持用弾性体１２５をまつげ挟持プレート１１３に対して上下方向に移動させることでまつげ挟持用弾性体１２５とまつげ挟持プレート１１３とを当接させ、離間させる操作手段（指掛レバーの端部１２２、弾性体移動用ロッド１２３及び弾性体保持体１２４等により構成される。）と、を備えるはさみタイプのまつげカーラー１００とすることができる。
【００１３】
このまつげカーラー１００は、以下のようにして用いることができる。
即ち、一方の指掛レバーの指掛部１１１に親指を挿通し、他方の指掛レバーの指掛部１２１に人差し指又は中指を挿通し、支持ロッド１１２の先端部に取着されたまつげ挟持プレート１１３と、まつげ挟持用弾性体１２５とが離間するように操作し（図１参照）、その後、まつげ挟持プレート１１３とまつげ挟持用弾性体１２５とを、まつげの生え際付近に位置させ、次いで、まつげ挟持プレート１１３とまつげ挟持用弾性体１２５とが当設されるように操作して（図２、３参照）まつげを挟持し、カールさせることができる。
【００１４】
また、まつげ挟持プレート１１３のまつげ挟持用弾性体１２５への押圧力を加減することにより、まつげのカールの程度を調整することができる。更に、まつげを挟持する位置を生え際から先端方向へと移動させることによって、まつげをより綺麗にカールさせることができる。また、まつげを挟持したまま、まつげカーラー１００を上方に円弧を描くようにして取り扱うことで、まつげをより滑らかにカールさせることができる。
【００１５】
まつげカーラー１００の、まつげ挟持用弾性体１２５と樹脂被覆層２とを除く他の部材は、通常、金属製である。この金属は特に限定されないが、鋼材にニッケルめっき等のめっきが施された金属材料が用いられることが多い。また、ステンレス鋼を用いてもよく、ステンレス鋼の場合は、マスカラ等による汚れの除去が容易であり、まつげカーラー１００をより清浄に保つことができる。
【００１６】
まつげ挟持用弾性体１２５は、まつげ挟持プレート１１３の端縁が当接され、押圧される部材であるため、柔軟であり、且つ繰り返される押圧に耐え、十分に弾性回復することが必要とされる。その材質は特に限定されず、各種のゴム等を用いることができる。このゴムとしては、ＪＩＳ  Ｋ  ７２１５に従って測定したデュロメータＡ硬さが３５〜９５、特に４０〜９０であるゴムを用いることが好ましい。このようなゴムとしては、シリコーンゴム、ウレタンゴム、アクリルゴム、エチレン−プロピレンゴム、エチレン−プロピレン−ジエンゴム等が挙げられる。ゴムとしては、優れた弾性と圧縮歪み回復性とを併せて有するシリコーンゴム、ウレタンゴム等を用いることが好ましい。このシリコーンゴム等のゴムからなるまつげ挟持用弾性体１２５はゴム本来の色調のままでもよいが、原料ゴム等に顔料などを配合し、成形して、例えば、黒色等に着色されたまつげ挟持用弾性体１２５とすることもできる。
【００１７】
樹脂被覆層２を構成する樹脂は、まつげ挟持プレート１１３が当接されたときに樹脂被覆層２が容易に損傷しない強度を有し、且つ硬く、表面が滑り易い樹脂被覆層２とすることができる限り、特に限定されない。この樹脂としては、ポリエチレン、ポリプロピレン等のポリオレフィン樹脂、特に硬質塩化ビニル樹脂等の塩化ビニル樹脂、各種のポリアミド樹脂、ポリエチレンテレフタレート等のポリエステル樹脂等が挙げられる。また、樹脂被覆層２は、まつげ挟持プレート１１３が当接されたときに容易に損傷しない強度を有し、且つ硬く、表面が滑り易い樹脂被覆層２とすることができる各種のエラストマーを用いて設けることもできる。このエラストマーも特に限定されず、スチレン系エラストマー、オレフィン系エラストマー、ウレタン系エラストマー等の各種の熱可塑性エラストマーを用いることができる。樹脂がポリエチレン及びエラストマーである場合、そのＪＩＳ  Ｋ  ７２１５に従って測定したデュロメータＤ硬さは、４５以上、特に５０以上、更に６０以上（好ましくは、４５〜７０）であることが好ましい。また、樹脂がポリプロピレン、硬質塩化ビニル樹脂、各種のポリアミド樹脂、ポリエチレンテレフタレート等のより硬度の大きい樹脂である場合、そのＪＩＳ  Ｋ  ７２０２に従って測定したロックウェルＲ硬さが、７０以上、特に７５以上、更に８０以上（好ましくは、７０〜１３０）であることが好ましい。
【００１８】
樹脂被覆層２は、これらの樹脂を用いて、射出成形、押出成形、圧縮成形等の各種の方法により樹脂被覆層２となる樹脂シートを成形し、この樹脂シートを用いて設けることができる。樹脂としては、十分な強度を有し、成形が容易で安価なポリオレフィン樹脂、塩化ビニル樹脂及びポリアミド樹脂等が好ましい。ポリオレフィン樹脂としては、より強度が大きい中密度ポリエチレン、高密度ポリエチレン、ポリプロピレンが特に好ましく、表面が滑り易い樹脂被覆層２とすることができるという観点でポリプロピレンが更に好ましい。
【００１９】
樹脂被覆層２は、弾性体保持体１２４のうちの略Ｕ字形状の一方の側壁１２４１の縁部に相当する端縁部１２４１ａ、及び他方の側壁１２４２の縁部に相当する端縁部１２４２ａに設けられている。この略Ｕ字形状の縁部に相当する端縁部１２４１ａ、１２４２ａに設けられているとは、少なくとも略Ｕ字形状の縁部に相当する端縁部１２４１ａ、１２４２ａに樹脂被覆層２が設けられているという意味であり、樹脂被覆層２は他の部分にも設けることができる。また、略Ｕ字形状の端縁部１２１４１ａ、１２４２ａとは、略Ｕ字形状の側壁１２４１、１２４２の各々の頂部から０．５〜１．０ｍｍの範囲を意味する。樹脂被覆層２は、略Ｕ字形状の縁部に相当する端縁部１２１４１ａ、１２４２ａの他、弾性体保持体１２４の側壁１２４１、１２４２のそれぞれの内側面１２４１ｂ（側壁１２４１の内側面側のうちの端縁部１２１４１ａを除く部分）、１２４２ｂ（側壁１２４２の内側面側のうちの端縁部１２４２ａを除く部分）、弾性体保持体１２４の側壁１２４１、１２４２の各々の外側面１２４１ｃ（側壁１２４１の外側面側のうちの端縁部１２１４１ａを除く部分）、１２４２ｂ（側壁１２４１の外側面側のうちの端縁部１２１４１ａを除く部分）、及び弾性体保持体１２４の外底面１２４３ａのうちの所要箇所に設けることもできる（図６参照、図７〜１１における弾性体保持体１２４についても側壁、端縁部、内側面、外側面及び外底面は同様の部分である。）。
【００２０】
樹脂被覆層２は、例えば、弾性体保持体１２４の一方の側壁１２４１の内側面１２４１ｂから外側面１２４１ｃ及び外底面１２４３ａ並びに他方の側壁１２４２の外側面１２４２ｃから内側面１２４２ｂに渡って設けられていてもよい（図６、７参照）。この樹脂被覆層２は、前記のように、射出成形等により成形した樹脂シートを弾性体保持体１２４に取着することで設けることができる。即ち、このように弾性体保持体１２４の多くの部分を覆って設けられる樹脂被覆層２の場合、接着剤等により弾性体保持体１２４に接合しなくても十分に固定することができる。また、必要であれば、接着剤等により接合して固定することもできる。
【００２１】
樹脂被覆層２は、弾性体保持体１２４の、一方の側壁１２４１の端縁部１２４１ａの内側面側から外側面１２４１ｃ及び外底面１２４３ａ並びに他方の側壁１２４２の外側面１２４２ｃから端縁部１２４２ａの内側面側に渡って設けられていてもよい（図８参照）。また、弾性体保持体１２４の、一方の側壁１２４１の端縁部１２４１ａ、内側面１２４１ｂ及び外側面１２４１ｃ並びに他方の側壁１２４２の端縁部１２４２ａ、内側面１２４２ｂ及び外側面１２４２ｃに設けられていてもよい（図９参照）。更に、弾性体保持体１２４の、一方の側壁１２４１の端縁部１２４１ａ及び内側面１２４１ｂ並びに他方の側壁１２４２の端縁部１２４２ａ及び内側面１２４２ｂに設けられていてもよい（図１１参照）。
尚、上記の弾性体保持体１２４の外底面１２４３ａに樹脂被覆層２が設けられていない態様では、一方の側壁１２４１及び他方の側壁１２４２のうちのいずれか一方の側壁のみに樹脂被覆層２が設けられた形態とすることもできる（例えば、図１０参照）。
【００２２】
樹脂被覆層２が、弾性体保持体１２４の一方の側壁１２４１の内側面１２４１ｂから他方の側壁１２４２の内側面１２４２ｂまで連続して設けられていない場合（図８〜１１参照）、樹脂被覆層２の弾性体保持体１２４からの脱落を防止し、十分に固定するためには、樹脂被覆層２となる樹脂シートを接着剤等により弾性体保持体１２４に接合することが好ましい。例えば、図１１の態様の場合、及び弾性体保持体１２４の、一方の側壁１２４１の端縁部１２４１ａ及び他方の側壁１２４２の端縁部１２４２ａのみに樹脂被覆層２が設けられているとき、などの弾性体保持体１２４と樹脂被覆層２との当接面積が少ない態様では、樹脂被覆層２が移動、脱落し易くなるため、樹脂被覆層２を接着剤等により弾性体保持体１２４に接合することが好ましい。
【００２３】
樹脂被覆層２の厚さは特に限定されない。この厚さは、０．３〜０．８ｍｍであることが好ましく、０．４〜０．６ｍｍであることがより好ましい。樹脂被覆層２の厚さが０．３〜０．８ｍｍであれば、十分な強度を有し、まつげ挟持プレート１１３が弾性体保持体１２４と対向してしまって、まつげ挟持プレート１１３が樹脂被覆層２に圧接されても損傷することがなく、まつげの切れを十分に抑えることができる。
【００２４】
［２］弾性体保持体のうちの略Ｕ字形状の縁部に相当する端縁部に複数の樹脂被覆部が所定間隔をおいて設けられているまつげカーラー
本発明の第２の実施形態に係るまつげカーラーは、円弧状に湾曲した帯状のまつげ挟持プレートと、まつげ挟持プレートに対向して配設されたまつげ挟持用弾性体と、まつげ挟持用弾性体を保持する弾性体保持体と、を備え、弾性体保持体の断面形状は略Ｕ字形状であり、開口側がまつげ挟持プレートに対向しているとともに、まつげ挟持用弾性体が弾性体保持体の内側空間に保持されており、弾性体保持体のうちの略Ｕ字形状の縁部に相当する端縁部には、樹脂により被覆されてなる複数の樹脂被覆部が、弾性体保持体の幅方向に所定間隔をおいて設けられていることを特徴とする。
【００２５】
このまつげカーラーにおいて、まつげ挟持プレート１１３とまつげ挟持用弾性体１２５とを当接させ、離間させるための構造は特に限定されず、その構造の詳細は第１の実施形態のまつげカーラーにおける記載をそのまま適用することができる。また、この第２の実施形態のまつげカーラーにおける各々の部材の材質についても、第１の実施形態のまつげカーラーにおける記載をそのまま適用することができる。更に、第２の実施形態のまつげカーラーの使用方法も、第１の実施形態のまつげカーラーの場合と同様であり、第１の実施形態のまつげカーラーにおける記載をそのまま適用することができる。
【００２６】
弾性体保持体１２４のうちの略Ｕ字形状の縁部に相当する端縁部には、樹脂により被覆されてなる複数の樹脂被覆部２１が、弾性体保持体１２４の幅方向に所定間隔をおいて設けられている（図１２〜１４参照）。この略Ｕ字形状の端縁部とは、略Ｕ字形状の側壁の頂部から０．５〜１．０ｍｍの範囲を意味する。また、樹脂被覆部２１は、略Ｕ字形状の一方の側壁の端縁部及び他方の側壁の端縁部のうちの一方のみに設けられていてもよく、両方に設けられていてもよいが、両方に設けられていることが好ましい。この樹脂被覆部２１により、まつげ挟持プレート１１３が、まつげ挟持用弾性体１２５ではなく弾性体保持体１２４と対向してしまうようなときでも、まつげを、樹脂被覆部２１の左右に逃がすようにすることができ（図１３参照）、まつげの切れを抑えることができるという特有の作用、効果が奏される。樹脂被覆部２１を構成する樹脂の種類及び好ましい樹脂並びに硬さについては、前記の第１の実施形態に係るまつげカーラーにおける樹脂被覆層２を構成する樹脂の場合の記載をそのまま適用することができる。
【００２７】
樹脂被覆部２１の弾性体保持体１２４の幅方向における寸法（図１２、１４におけるｌ１）は特に限定されないが、０．１〜１．０ｍｍ、特に０．２〜０．７ｍｍであることが好ましい。この寸法は０．３〜０．７ｍｍであることがより好ましく、０．４〜０．６ｍｍであることが特に好ましい。また、所定間隔をおいて設けられている各々の樹脂被覆部２１の間隔（図１２、１４におけるｌ２）も特に限定されないが、０．１〜１．０ｍｍ、特に０．２〜０．７ｍｍであることが好ましい。この間隔は０．３〜０．７ｍｍであることがより好ましく、０．４〜０．６ｍｍであることが特に好ましい。この寸法及び間隔が０．１〜１．０ｍｍ、特に０．２〜０．７ｍｍであれば、更には寸法及び間隔がともに０．１〜１．０ｍｍ、特に０．２〜０．７ｍｍであれば、樹脂被覆部２１の形成が容易であり、且つまつげ挟持プレート１１３が弾性体保持体１２４と対向してしまったときでも、まつげを樹脂被覆部２１の左右に逃がすようにすることで、まつげの切れを抑えることができるという作用、効果が十分に奏される。
【００２８】
各々の樹脂被覆部２１の弾性体保持体１２４の幅方向における寸法は、同じであってもよく、異なっていてもよい。また、弾性体保持体１２４の全幅に渡って寸法が同じであってもよく、異なっていてもよい。更に、弾性体保持体１２４の幅方向の一部において寸法が同じであり、他部において寸法が異なっていてもよい。また、各々の樹脂被覆部２１の弾性体保持体１２４の幅方向における間隔も、同じであってもよく、異なっていてもよい。更に、弾性体保持体１２４の全幅に渡って間隔が同じであってもよく、異なっていてもよい。また、弾性体保持体１２４の幅方向の一部において間隔が同じであり、他部において間隔が異なっていてもよい。
【００２９】
樹脂被覆部２１は、その弾性体保持体１２４の幅方向における寸法が、弾性体保持体１２４の全幅に渡って同じであることが好ましい。また、各々の樹脂被覆部２１の弾性体保持体１２４の幅方向における間隔が、弾性体保持体１２４の全幅に渡って同じであることが好ましい。更に、樹脂被覆部２１は、その弾性体保持体１２４の幅方向における寸法が、弾性体保持体１２４の全幅に渡って同じであり、且つ弾性体保持体１２４の幅方向の全幅に渡って等間隔に設けられていることがより好ましい。また、樹脂被覆部２１は、その弾性体保持体１２４の幅方向の全幅に渡って寸法及び間隔が同じであり、且つこの寸法及び間隔がそれぞれ上記の範囲であることが特に好ましい。これにより、まつげの幅方向において、一部ではまつげの切れが抑えられ、他部では切れてしまうという不具合を生じることがない。
【００３０】
更に、樹脂被覆部２１は、弾性体保持体１２４の幅方向の両端部を除く部分（支持ロッド用貫通孔の周縁を除く部分）に設けられている、即ち、この両端部を除く全幅に渡って設けられていることが特に好ましい。また、樹脂被覆部２１は、その弾性体保持体１２４の幅方向における寸法及び間隔が同じであり、この寸法及び間隔がそれぞれ上記の範囲であり、且つ弾性体保持体１２４の幅方向の両端部を除く部分の全幅に渡って設けられていることが特に好ましい。これにより、まつげの幅方向において、一部ではまつげの切れが抑えられ、他部では切れてしまうという不具合を生じることがなく、まつげの全幅において切れを抑えることができる。
【００３１】
樹脂被覆部２１の厚さ（図１２、１４におけるｄに相当する。即ち、最も厚い部分の厚さである。）も特に限定されない。この厚さは、０．３〜０．８ｍｍであることが好ましく、０．４〜０．６ｍｍであることがより好ましい。樹脂被覆部２１の厚さが０．３〜０．８ｍｍであれば、十分な強度を有し、まつげ挟持プレート１１３が弾性体保持体１２４と対向してしまって、まつげ挟持プレート１１３が樹脂被覆部２１に圧接されても損傷することがなく、まつげの切れを十分に抑えることができる。
【００３２】
樹脂被覆部２１の弾性体保持体１２４の幅方向における両角部の形状は特に限定されない。角張っている、即ち、弾性体保持体１２４の表面に対して略９０°の角度をなしていてもよく、円弧状に形成されていてもよいが、円弧状であることが好ましい。両角部が円弧状であれば、まつげ挟持プレート１１３が弾性体保持体１２４と対向してしまったときでも、まつげを樹脂被覆部２１の左右に容易に逃がすことができ、まつげの切れをより抑えることができる。また、弾性体保持体１２４を正面からみたときの樹脂被覆部２１の断面形状が、半円、半楕円（図１２〜１４参照）、正三角形及び二等辺三角形等の三角形などである樹脂被覆部２１とすることもでき、このような断面形状であれば、上記の作用、効果が奏される。
【００３３】
樹脂被覆部２１の形成方法は特に限定されない。弾性体保持体１２４の一方の側壁及び他方の側壁の各々の端縁部、内側面及び外側面並びに外底面に樹脂被覆層２が設けられた態様（図６参照）、弾性体保持体１２４の一方の側壁１２４１及び他方の側壁の各々の端縁部、内側面及び外側面に樹脂被覆層２が設けられた態様（図９参照）では、例えば、射出成形法等により樹脂被覆層２となる樹脂シートを成形するときに、この樹脂シートの所定位置に複数の開口部を設け、開口部が弾性体保持体１２４の端縁部に位置するように樹脂シートを配設することにより、各々の開口部の間に樹脂被覆部２１を形成することができる（図１２、１３参照、これらの図は上記の図６に対応している。尚、図１３は、人の目の側からみた図である。）。
【００３４】
また、弾性体保持体１２４の一方の側壁の端縁部から他方の側壁の端縁部に渡って樹脂被覆層２が設けられた態様（図８参照）、及び弾性体保持体１２４の一方及び他方の各々の側壁の端縁部及び内側面に樹脂被覆層２が設けられた態様（図１１参照）のように、内側面側又は外側面側の全面ではなく端縁部のみに樹脂被覆層２が設けられている場合は、例えば、射出成形法等により樹脂被覆層２となる樹脂シートを成形し、この樹脂シートの端縁の所定位置に複数の切欠部を設け、切欠部が弾性体保持体１２４の端縁部に位置するように樹脂シートを配設することにより、各々の切欠部の間に樹脂被覆部２１を形成することができる（図１４参照、この図は上記の図１１に対応している。）。更に、樹脂被覆部２１のみが、一方及び他方の各々の側壁のそれぞれの端縁部に設けられる場合は、個々の樹脂被覆部２１となる樹脂成形体を作製し、これらの樹脂成形体を弾性体保持体１２４の所定位置に接着剤等により接合し、固定して樹脂被覆部２１を設けることもできる。
【図面の簡単な説明】
【００３５】
【図１】本発明のまつげカーラーの一例であって、まつげ挟持プレートとまつげ挟持用弾性体（弾性体保持体）とが離間している状態を示す斜視図である。
【図２】図１のまつげカーラーにおいてまつげ挟持プレートとまつげ挟持用弾性体とが当接された様子を示す斜視図である。
【図３】図１及び図２のまつげカーラーの側面図である。
【図４】樹脂被覆層が、内側面から外側面及び外底面に渡って設けられている弾性体保持体及びこの弾性体保持体に保持されたまつげ挟持用弾性体の平面図である。
【図５】図４の弾性体保持体及びまつげ挟持用弾性体の正面図である。
【図６】図５の弾性体保持体及びまつげ挟持用弾性体のＡ−Ａ’における断面を示す模式図である。
【図７】図４〜６の弾性体保持体及びまつげ挟持用弾性体を備えるまつげカーラーを用いてまつげをカールさせているときに、まつげ挟持プレートがまつげ挟持用弾性体の幅方向の中心部から外れ、まつげがまつげ挟持プレートと樹脂被覆層とで挟持されている様子を示す模式図である。
【図８】樹脂被覆層が、弾性体保持体の、端縁部から外側面及び外底面に渡って設けられている弾性体保持体及びこの弾性体保持体に保持されたまつげ挟持用弾性体の断面を示す模式図である。
【図９】樹脂被覆層が、弾性体保持体の、内側面、端縁部及び外側面に設けられている弾性体保持体及びこの弾性体保持体に保持されたまつげ挟持用弾性体の断面を示す模式図である。
【図１０】図９において、樹脂被覆層が略Ｕ字形状の一方の側壁のみに設けられている態様の断面を示す模式図である。
【図１１】樹脂被覆層が、弾性体保持体の、内側面及び端縁部に設けられている弾性体保持体及びこの弾性体保持体に保持されたまつげ挟持用弾性体の断面を示す模式図である。
【図１２】略Ｕ字形状の縁部に相当する端縁部に、樹脂により被覆されている複数の樹脂被覆部が等間隔に設けられている弾性体保持体及びまつげ挟持用弾性体の一例の幅方向の一部を正面からみた模式図である。
【図１３】図１２の弾性体保持体及びまつげ挟持用弾性体を備えるまつげカーラーを用いてまつげをカールさせているときに、まつげ挟持プレートがまつげ挟持用弾性体の幅方向の中心部から外れた場合、まつげが樹脂被覆部の左右に逃げている様子を示す模式図である。
【図１４】略Ｕ字形状の縁部に相当する端縁部に、樹脂により被覆されている複数の樹脂被覆部が等間隔に設けられている弾性体保持体及びまつげ挟持用弾性体の他の例の幅方向の一部を正面からみた模式図である。
【図１５】樹脂被覆層が設けられていない弾性体保持体及びこの弾性体保持体に保持されたまつげ挟持用弾性体の平面図である。
【図１６】図１５の弾性体保持体及びまつげ挟持用弾性体の正面図である。
【図１７】図１６の弾性体保持体及びまつげ挟持用弾性体のＢ−Ｂ’における断面を示す模式図である。
【図１８】図１５〜１７の弾性体保持体及びまつげ挟持用弾性体を備えるまつげカーラーを用いてまつげをカールさせているときに、まつげ挟持プレートがまつげ挟持用弾性体から外れ、まつげがまつげ挟持プレートと弾性体保持体とで挟持され、まつげが切れている様子を示す模式図である。
【符号の説明】
【００３６】
１００；まつげカーラー、１１１；指掛部、１１２；支持ロッド、１１３；まつげ挟持プレート、１２１；指掛部、１２２；指掛レバーの端部、１２３；弾性体移動用ロッド、１２４；弾性体保持体、１２４１；一方の側壁、１２４１ａ；端縁部、１２４１ｂ；内側面、１２４１ｃ；外側面、１２４２；他方の側壁、１２４２ａ；端縁部、１２４２ｂ；内側面、１２４２ｃ；外側面、１２４３；底部、１２４３ａ；外底面、１２４４；支持ロッド用貫通孔、１２５；まつげ挟持用弾性体、２；樹脂被覆層、２１；樹脂被覆部、３；顔、３１；目、３２；まつげ、３２１；切れたまつげ。
【図１】
2008188247.tif 000003
【図２】
2008188247.tif 000004
【図３】
2008188247.tif 000005
【図４】
2008188247.tif 000006
【図５】
2008188247.tif 000007
【図６】
2008188247.tif 000008
【図７】
2008188247.tif 000009
【図８】
2008188247.tif 000010
【図９】
2008188247.tif 000011
【図１０】
2008188247.tif 000012
【図１１】
2008188247.tif 000013
【図１２】
2008188247.tif 000014
【図１３】
2008188247.tif 000015
【図１４】
2008188247.tif 000016
【図１５】
2008188247.tif 000017
【図１６】
2008188247.tif 000018
【図１７】
2008188247.tif 000019
【図１８】
2008188247.tif 000020